(57)【要約】      （修正有）【課題】管径の異なるものにも採用でき、落下防止に有効であり、交換が容易で簡単な構造の直管型蛍光管落下防止バンド装置を提供する。【解決手段】落下防止バンド１の片端に締付留用爪部と締付解除時の押し込み部分を備えた締付留・締付解除装置１１を設け、更に落下防止バンド１の長手方向に複数の穴１５を備える。落下防止バンド１を強力磁石に固定させるプラスチック１２で、皿穴付強力磁石１６を繋ぎ合わせて固定する。【選択図】図４
0003166324.tif 000002
【実用新案登録請求の範囲】
【請求項１】
蛍光灯照明器具の直管型蛍光管、省電力型細形蛍光管や直管型蛍光管形ＬＥＤ照明装置の落下防止において、締付留・締付解除装置１１と複数の穴１５を備えたことを特徴とする落下防止バンド１。
【請求項２】
落下防止バンド１に皿穴付強力磁石１６を繋ぎ合わせて固定できる構造を持つことを特徴とする落下防止バンド装置。
【請求項３】
角型強力磁石１６ｂを２個使用して、トンネル構造とし、落下防止バンド１を通すことができる構造を持つことを特徴とする落下防止バンド装置。
【請求項４】
角型強力磁石１６ａに落下防止バンド１を保持できるプラスチックを設けたものを固定させた構造を持つことを特徴とする落下防止バンド装置。
【請求項５】
皿穴付強力磁石１６と照明器具カバー取付ボルト０１６を繋ぎ合わせた繋ぎプラスチック１２ａにロック・解除できるスライダー１７設け、落下防止バンド１を自由な位置に固定できる構造を持つことを特徴とする落下防止バンド装置。
【考案の詳細な説明】
【技術分野】
【０００１】本考案の内容は、直管型蛍光管の落下防止バンド装置の構造に関するものである。
【背景技術】
【０００２】  近年、世界各地で大地震による大きな災害が増加している。夜間の地震による停電と同時に、直管型蛍光管が落下破損した場合、ガラスの飛散による手足の怪我が多く発生した。この為、直管型蛍光管の完全な落下防止とガラス飛散防止対策が必要とされている。【０００３】  更に近年、直管型蛍光灯管に変わり、ＬＥＤ素子による蛍光管形ＬＥＤ装置が開発されるようになってきた。ガラス管球がプラスチックに変わり、落下時の破損による危険は減少したが、直管型蛍光管形ＬＥＤ装置において、放熱機能強化の為、アルミニュームの使用によって重量が増加するものが出てきたので、これまで以上の落下防止装置の要求が高まってきた。【０００４】  特に点灯回路が内蔵された直管型蛍光管形ＬＥＤ装置はその重量がより増加して、従来の直管型蛍光管用の落下防止装置では、耐震対策としても、その効果は不充分であった。【０００５】  近年開発された省電力型細形蛍光管が採用されるようになり、振動強度が他の蛍光管に比べて弱い構造になっているので、落下防止対策が求められている。
【先行技術文献】
【０００６】
【特許文献１】  実用新案登録第３１５２５１５号  省電力型蛍光灯外れ防止と落下防止用器具
【考案の概要】
【考案が解決しようとする課題】
【０００７】  従来の直管型蛍光管や省電力型細形蛍光管などの管径の異なるものにも、採用できると共に、重量が増した直管型蛍光管形ＬＥＤ装置の落下防止にも有効な機能をもたせること。【０００８】  直管型蛍光管の取り外し交換に対しても、容易で簡単な構造にすること。【０００９】  直管型蛍光管照明器具カバーにおいて多種のタイプ、異なる構造ものが採用されているので、出来るだけ多種のタイプの照明器具に加工することなく採用・使用出来るようにすること。
【課題を解決するための手段】  以下図面により説明する。【００１０】  図１に示す如く、蛍光管０２は蛍光管ソッケト０１２に差し込んだ後、落下防止バンド１で蛍光管０２を締め付けて、照明器具カバー取付ボルト０１６を利用して照明器具本体０１に取付けられている。【００１１】  図１に示す如く、強力磁石使用すれば、充分蛍光管を保持でき、地震時の落下防止となる。図２、図３に落下防止バンド１に強力磁石１６ａ、１６ｂを組み合わせた詳細を示した。図８にその取付け断面を示した。【００１２】  落下防止バンド１はスライドして自由な位置に移動することができ、締付留・締付解除装置部分１１を備えて、蛍光管の着脱も簡単に行える構造とした。【００１３】    図５は照明器具カバー０１３の取付ボルト０１６が異なる位置にある場合、直管型蛍光０２に落下防止バンド１に強力磁石１６組み合わせたもので吊り下げる場合の断面図である。【００１４】  図６は落下防止バンド１を皿穴付強力磁石１６と共に、直接照明器具カバー０１３の取付ボルト０１６に取付ける場合の詳細図面である【００１５】    図７は落下防止バンド１をさらに自由な位置で強力磁石１６と繋ぎ合わせて使用する場合の詳細図面である。繋ぎプラスッチク１２ａは適切な穴１５で固定することができる。１２ａの余分な部分は切断できる。【００１６】    皿穴付強力磁石１６の表面磁束密度が３５０ｍｔ〜２７０ｍｔ、で吸着力が２．５Ｋｇ〜１．７ｋｇも得られるので、図２、図３、図４に示す構造で、地震の震動で落下することはなく安全である。
【考案の効果】
【００１７】      図１示す如く、落下防止バンド１により蛍光灯照明器具０１に蛍光管０２を確実に固定出来るので、地震時にも有効な落下防止装置となる。同時に０１６を強力にねじ込み、落下防止バンド１を締付解除出来ないタイプに変えることで、盗難防止対策としても役立つものとなる。【００１８】  直間型蛍光管０２よりも重量が増加する直管型蛍光管形ＬＥＤ照明装置の落下防止に大いに役立つものとなる。【００１９】
【考案を実施するための形態】
【００２０】  本考案の落下防止バンド１は繋ぎプラスッチク１２ａと同様の材質と穴１５を複数もっているので、一本として製造し、切り離して使用することができる。
【００２１】    本考案の落下防止バンド１の材質はナイロン６６でもよいが、屋外の紫外線劣化の影響を受けにくい素材として、ポリプロピレンやテフロンを使用すると良い。
【００２２】    強力磁石１６、１６ａ、１６ｂの材質は磁力の強いネオジウムでよいが、落下防止バンド１を直接照明器具カバー０１３の取付ボルト０１６にプラスチックで繋ぎ、固定する場合は、フェライトコアーなどの吸着力の弱いものでもよい。
【００２３】    図１１に示す如く、照明器具カバー０１３の取付ボルト０１６を特殊加工取付ボルト１６ａに交換すると良い。
【００２４】      図１２に示す如く、蛍光管ソケット受け台０１４と照明器具カバー０１３の隙間からクリップ１８差し挟み落下防止バンド１保持させることができる。
【実施例】
【００２５】  図１、図５、図１０、図１１に本考案の落下防止バンド１の実施例を示した。
【産業上の利用可能性】
【００２６】  本考案の落下防止バンド１は広く一般の結束バンドとしても使用できる。
【図面の簡単な説明】
【００２７】
【図１】直管型蛍光管に落下防止バンドを照明器具に取付ける種種の方法を示した。
【図２】落下防止バンドを２個の強力磁石でトンネルを作り保持できる構造とした。
【図３】落下防止バンドを強力磁石に保持できるプラスチックを付着させた詳細面図
【図４】落下防止バンドを強力磁石とプラスチックで繋ぎ合わせたものとした。
【図５】落下防止バンドを蛍光管に取り付けたところの断面図
【図６】落下防止バンドを強力磁石で保持させ、照明器具カバー取付ボルトで固定させる場合の詳細面図
【図７】落下防止バンドを強力磁石で保持させ、照明器具カバー取付ボルトで固定させる場合において、その距離がある場合の詳細面図
【図８】磁石で直管型蛍光管を落下防止バンドに磁石付属させて保持させた場合の断面図
【図９】落下防止バンドを強力磁石で保持させ、照明器具カバー取付ボルトで固定させる場合において、落下防止バンドを自由な位置に固定させることが出来るスライダーをもうけた詳細面図
【図１０】落下防止バンドを強力磁石で保持させ、照明器具カバー取付ボルトで固定させる場合において、落下防止バンドを自由な位置に固定させることが出来るスライダーをもうけた場合の断面図
【図１１】照明器具カバー取付ボルトを特殊加工したものに落下防止バンドを保持させた場合の図面
【図１２】照明器具カバーの隙間に差込むクリップを利用して、落下防止バンドを保持させた場合の図面
【符号の説明】
【００２８】１．  落下防止バンド
１１．  落下防止バンドの締付留・締付解除装置部分
１２．  落下防止バンドを強力磁石に固定させるプラスチック
１２ａ．  強力磁石を固定させた落下防止バンドを照明器具器具接続する繋ぎプラスチック
１３．  落下防止バンドを巻き込み接続する為のホック
１４．  落下防止バンドを強力磁石に固定させる為のボルト
１４ａ．  落下防止バンドを強力磁石に固定させる為のナット
１５．  照明器具に固定させる為の穴群
１６．  皿穴付強力磁石
１６ａ．  落下防止バンドを差し込みスライドできる加工穴付きプラスチックを接着させた強力磁石
１６ｂ．  角型強力磁石
１６ｃ．  角型強力磁石をトンネル構造に取付ける為の鉄製枠
１６ｄ．  落下防止バンドを差し込みスライドできる穴付きプラスチック
１７．  落下防止バンドを締付留・締付解除出来るスライダー
１８．  照明器具カバーに差込むことが出来るクリップ
０１．  照明器具本体
０１２．  蛍光管ソケット
０１３．  照明器具カバー
０１４．  蛍光管ソケット受け台
０１５．  照明器具カバー取付穴
０１６．  照明器具カバー取付ボルト
０１６ａ．  照明器具カバー特殊加工取付ボルト
０２．  直管型蛍光管
０２１．  直管型蛍光管キャップ
【図１】
0003166324.tif 000003
【図２】
0003166324.tif 000004
【図３】
0003166324.tif 000005
【図４】
0003166324.tif 000006
【図５】
0003166324.tif 000007
【図６】
0003166324.tif 000008
【図７】
0003166324.tif 000009
【図８】
0003166324.tif 000010
【図９】
0003166324.tif 000011
【図１０】
0003166324.tif 000012
【図１１】
0003166324.tif 000013
【図１２】
0003166324.tif 000014
【手続補正書】
【提出日】平成22年12月7日(2010.12.7)
【手続補正１】
【補正対象書類名】明細書
【補正対象項目名】全文
【補正方法】変更
【補正の内容】
【考案の詳細な説明】
【技術分野】
【０００１】  本考案の内容は、直管型蛍光管の落下防止バンド装置の構造に関するものである。
【背景技術】
【０００２】  近年、世界各地で大地震による大きな災害が増加している。夜間の地震による停電と同時に、直管型蛍光管が落下破損した場合、ガラスの飛散による手足の怪我が多く発生した。この為、直管型蛍光管の完全な落下防止とガラス飛散防止対策が必要とされている。【０００３】  更に近年、直管型蛍光灯管に変わり、ＬＥＤ素子による蛍光管形ＬＥＤ装置が開発されるようになってきた。ガラス管球がプラスチックに変わり、落下時の破損による危険は減少したが、直管型蛍光管形ＬＥＤ装置において、放熱機能強化の為、アルミニュームの使用によって重量が増加するものが出てきたので、これまで以上の落下防止装置の要求が高まってきた。【０００４】  特に点灯回路が内蔵された直管型蛍光管形ＬＥＤ装置はその重量がより増加して、従来の直管型蛍光管用の落下防止装置では、耐震対策としても、その効果は不充分であった。【０００５】  近年開発された省電力型細形蛍光管が採用されるようになり、振動強度が他の蛍光管に比べて弱い構造になっているので、落下防止対策が求められている。
【先行技術文献１】
【０００６】
【特許文献１】  実用新案登録第３１５２５１５号  省電力型蛍光灯外れ防止と落下防止用器具
【考案の概要】
【考案が解決しようとする課題】
【０００７】  従来の直管型蛍光管や省電力型細形蛍光管などの管径の異なるものにも、採用できると共に、重量が増した直管型蛍光管形ＬＥＤ装置の落下防止にも有効な機能をもたせること。【０００８】  直管型蛍光管の取り外し交換に対しても、容易で簡単な構造にすること。【０００９】  直管型蛍光管照明器具カバーにおいて多種のタイプ、異なる構造ものが採用されているので、出来るだけ多種のタイプの照明器具に加工することなく採用・使用出来るようにすること。
【課題を解決するための手段】  以下図面により説明する。【００１０】  図１に示す如く、蛍光管０２は蛍光管ソッケト０１２に差し込んだ後、落下防止バンド１で蛍光管０２を締め付けて、照明器具カバー取付ボルト０１６を利用して照明器具本体０１に取付けられている。【００１１】  図１に示す如く、強力磁石使用すれば、充分蛍光管を保持でき、地震時の落下防止となる。図２、図３に落下防止バンド１に強力磁石１６ａ、１６ｂを組み合わせた詳細を示した。図８にその取付け断面を示した。【００１２】図１に示す如く、落下防止バンド１は蛍光管０２に沿って、スライドして自由な位置に移動することができ、締付留・締付解除装置部分１１を備えているので、蛍光管の着脱も簡単に行える構造とした。【００１３】  図５は照明器具カバー０１３の取付ボルト０１６が異なる位置にある場合、直管型蛍光０２に落下防止バンド１に強力磁石１６組み合わせたもので吊り下げる場合の断面図である。【００１４】  図６は落下防止バンド１を皿穴付強力磁石１６と共に、直接照明器具カバー０１３の取付ボルト０１６に取付ける場合の詳細図面である【００１５】  図７は落下防止バンド１をさらに自由な位置で強力磁石１６と繋ぎ合わせて使用する場合の詳細図面である。繋ぎプラスッチク１２ａは適切な穴１５で固定することができる。１２ａの余分な部分は切断できる。【００１６】  皿穴付強力磁石１６の表面磁束密度が３５０ｍｔ〜２７０ｍｔ、で吸着力が２．５Ｋｇ〜１．７ｋｇも得られるので、図２、図３、図４に示す構造で、地震の震動で落下することはなく安全である。
【考案の効果】
【００１７】  図１示す如く、落下防止バンド１により蛍光灯照明器具０１に蛍光管０２を確実に固定出来るので、地震時にも有効な落下防止装置となる。同時に０１６を強力にねじ込み、落下防止バンド１を締付解除出来ないタイプに変えることで、盗難防止対策としても役立つものとなる。【００１８】  直間型蛍光管０２よりも重量が増加する直管型蛍光管形ＬＥＤ照明装置の落下防止に大いに役立つものとなる。【００１９】
【考案を実施するための形態】
【００２０】  本考案の落下防止バンド１は繋ぎプラスッチク１２ａと同様の材質と穴１５を複数もっているので、一本として製造し、切り離して使用することができる。
【００２１】本考案の落下防止バンド１の材質はナイロン６６でもよいが、屋外の紫外線劣化の影響を受けにくい素材として、ポリプロピレンやテフロン（登録商標）を使用すると良い。
【００２２】  強力磁石１６、１６ａ、１６ｂの材質は磁力の強いネオジウムでよいが、落下防止バンド１を直接照明器具カバー０１３の取付ボルト０１６にプラスチックで繋ぎ、固定する場合は、フェライトコアーなどの吸着力の弱いものでもよい。
【００２３】  図１１に示す如く、照明器具カバー０１３の取付ボルト０１６を特殊加工取付ボルト１６ａに交換すると良い。
【００２４】  図１２に示す如く、蛍光管ソケット受け台０１４と照明器具カバー０１３の隙間からクリップ１８差し挟み落下防止バンド１保持させることができる。
【実施例】
【００２５】  図１、図５、図１０、図１１に本考案の落下防止バンド１の実施例を示した。
【産業上の利用可能性】
【００２６】  本考案の落下防止バンド１は広く一般の結束バンドとしても使用できる。
【図面の簡単な説明】
【００２７】
【図１】直管型蛍光管に落下防止バンドを照明器具に取付ける種種の方法を示した。
【図２】落下防止バンドを２個の強力磁石でトンネルを作り保持できる構造とした。
【図３】落下防止バンドを強力磁石に保持できるプラスチックを付着させた詳細面図
【図４】落下防止バンドを強力磁石とプラスチックで繋ぎ合わせたものとした。
【図５】落下防止バンドを蛍光管に取り付けたところの断面図
【図６】落下防止バンドを強力磁石で保持させ、照明器具カバー取付ボルトで固定させる場合の詳細面図
【図７】落下防止バンドを強力磁石で保持させ、照明器具カバー取付ボルトで固定させる場合において、その距離がある場合の詳細面図
【図８】磁石で直管型蛍光管を落下防止バンドに磁石付属させて保持させた場合の断面図
【図９】落下防止バンドを強力磁石で保持させ、照明器具カバー取付ボルトで固定させる場合において、落下防止バンドを自由な位置に固定させることが出来るスライダーをもうけた詳細面図
【図１０】落下防止バンドを強力磁石で保持させ、照明器具カバー取付ボルトで固定させる場合において、落下防止バンドを自由な位置に固定させることが出来るスライダーをもうけた場合の断面図
【図１１】照明器具カバー取付ボルトを特殊加工したものに落下防止バンドを保持させた場合の図面
【図１２】照明器具カバーの隙間に差込むクリップを利用して、落下防止バンドを保持させた場合の図面
【図１３】落下防止バンドの断面詳細図
【符号の説明】
【００２８】１．落下防止バンド
１１．落下防止バンドの締付留・締付解除装置部分
１１ａ．締付留用爪部
１１ｂ．締付解除時の押し込み部分
１１ｃ．戻り留めノコギリ状溝
１２．落下防止バンドを強力磁石に固定させるプラスチック
１２ａ．強力磁石を固定させた落下防止バンドを照明器具に接続する繋ぎプラスチック
１３．落下防止バンドを巻き込み接続する為のホック
１４．落下防止バンドを強力磁石に固定させる為のボルト
１４ａ．落下防止バンドを強力磁石に固定させる為のナット
１５．照明器具に固定させる為の穴群
１６．皿穴付強力磁石
１６ａ．落下防止バンドを差し込みスライドできる加工穴付きプラスチックを接着させた強力磁石
１６ｂ．角型強力磁石
１６ｃ．角型強力磁石をトンネル構造に取付ける為の鉄製枠
１６ｄ．落下防止バンドを差し込みスライドできる穴付きプラスチック
１７．落下防止バンドを締付留・締付解除出来るスライダー
１８．照明器具カバーに差込むことが出来るクリップ
０１．照明器具本体
０１２．蛍光管ソケット
０１３．照明器具カバー
０１４．蛍光管ソケット受け台
０１５．照明器具カバー取付穴
０１６．照明器具カバー取付ボルト
０１６ａ．照明器具カバー特殊加工取付ボルト
０２．直管型蛍光管
０２１．直管型蛍光管キャップ
【手続補正２】
【補正対象書類名】実用新案登録請求の範囲
【補正対象項目名】全文
【補正方法】変更
【補正の内容】
【実用新案登録請求の範囲】
【請求項１】
蛍光灯照明器具の直管型蛍光管、省電力型細形蛍光管や直管型蛍光管形ＬＥＤ照明装置の落下防止において、落下防止バンド１の片端に締付留用爪部１１ａと締付解除時の押し込み部分１１ｂを備えた締付留・締付解除装置１１を設け、更に落下防止バンド１の長手方向に複数の穴１５を備えたことを特徴とする落下防止バンド装置。
【請求項２】
落下防止バンド１を強力磁石に固定させるプラスチック１２で、皿穴付強力磁石１６を繋ぎ合わせて固定できる構造を持つことを特徴とする請求項１記載の落下防止バンド装置。
【請求項３】
0003166324.tif 000015
を通すことができる構造を持つことを特徴とする請求項１記載の落下防止バンド装置。
【請求項４】
角型強力磁石１６ａに、落下防止バンド１を保持できるプラスチック１６ｄを接着した構造を持つことを特徴とする請求項１記載の落下防止バンド装置。
【手続補正３】
【補正対象書類名】図面
【補正対象項目名】全図
【補正方法】変更
【補正の内容】
【図１】
0003166324.tif 000016
【図２】
0003166324.tif 000017
【図３】
0003166324.tif 000018
【図４】
0003166324.tif 000019
【図５】
0003166324.tif 000020
【図６】
0003166324.tif 000021
【図７】
0003166324.tif 000022
【図８】
0003166324.tif 000023
【図９】
0003166324.tif 000024
【図１０】
0003166324.tif 000025
【図１１】
0003166324.tif 000026
【図１２】
0003166324.tif 000027
【図１３】
0003166324.tif 000028